(57)【要約】  施術中の髪の乾燥を抑制することを可能とする。  挟持アームの先端側２９，３１に対向配置され毛髪を熱板６７により加温しながら矯正面により狭持矯正する矯正体１１，１３を備えたヘアーアイロン１において、矯正体１１，１３の少なくとも一方の矯正面は、基材８８の表面に白金層９０を設けて形成され、基材８８の表面と白金層９０との間に、二酸化チタン層９２を形成し、基材８８の表面と二酸化チタン層９２との間及び二酸化チタン層９２と白金層９０との間に、ニッケル層９４，９６を形成し、熱板６７の背後側に、矯正面８７に沿ってマグネットプレート７１を配置したことを特徴とする。
2009001439.tif 000002
【特許請求の範囲】
【請求項１】
基端側が相互に回転自在に結合され中間部の把持部の把持操作で先端側が挟持動作を行う挟持アームと、
前記挟持アームの先端側に対向配置され前記挟持動作で毛髪を熱板により加温しながら矯正面により狭持矯正する矯正体とを備えたヘアーアイロンにおいて、
前記矯正体の少なくとも一方の矯正面は、基材の表面に白金層を設けて形成された、
ことを特徴とするヘアーアイロン。
【請求項２】
請求項１記載のヘアーアイロンであって、
前記基材の表面と白金層との間に、チタン層を形成した、
ことを特徴とするヘアーアイロン。
【請求項３】
請求項２記載のヘアーアイロンであって、
前記基材の表面とチタン層との間及びチタン層と白金層との間に、ニッケル層を形成した、
ことを特徴とするヘアーアイロン。
【請求項４】
請求項１〜３の何れかに記載のヘアーアイロンであって、
前記熱板の少なくとも一方の背後側に、前記矯正面に沿って磁石を配置した、
ことを特徴とするヘアーアイロン。
【請求項５】
請求項１〜３の何れかに記載のヘアーアイロンであって、
前記矯正体の少なくとも一方を、前記挟持アームへの取付状態から他方側に対し所定範囲内で進退可能となるように前記挟持アームに矯正体付勢手段を介して可動支持し、
前記熱板の少なくとも一方の背後側に、前記矯正面に沿って磁石を配置し、
前記磁石相互の反発力又は吸引力若しくは磁石の他方の熱板側への吸着力により前記矯正体付勢手段を反発又は吸引に応じ撓めて前記矯正体を前記取付状態から進退させ相互姿勢を修正可能とする
ことを特徴とするヘアーアイロン。
【請求項６】
請求項５記載のヘアーアイロンであって、
前記矯正体は、前記熱板の背後に収容部を備え、
前記収容部内に、前記磁石及び該磁石を収容部に対して前記熱板側へ付勢する磁石付勢手段を設けたことを特徴とするヘアーアイロン。
【請求項７】
請求項５又は７記載のヘアーアイロンであって、
前記収容部内で前記熱板の背面と前記磁石との間に、前記背面から熱板へ熱伝導を行う発熱体を設けたことを特徴とするヘアーアイロン。
【発明の詳細な説明】
【技術分野】
【０００１】
本発明は、髪の縮毛矯正等に供するヘアーアイロンに関する。
【背景技術】
【０００２】
従来のヘアーアイロンとしては、例えば図１２に示すようなものがある（特許文献１参照）。図１１（ａ）はヘアーアイロンの全体構成図、図１１（ｂ）は内部を示す断面図である。【０００３】
この図１１のように、従来のヘアーアイロン２０１は、アイロン本体２０３に電源コード２０５が接続され、この電源コード２０５の中間部に温度制御装置２０７が接続され、端部に電源プラグ２０９が取り付けられたものである。【０００４】
前記アイロン本体２０３は、一対の樹脂製の挟持アーム２１１，２１３を備えている。この挟持アーム２１１，２１３は基端側２１５，２１７が相互に回転自在に結合され、先端側２１９，２２１に矯正体２２３，２２５が対向配置されている。この矯正体２２３，２２５は、所定範囲内で進退可能となるように前記挟持アーム２１１，２１３に可動支持されている。各矯正体２２３，２２５の背後には、該矯正体２２３，２２５を進出方向へ付勢するばね２２７が設けられている。【０００５】
そして、電源プラグ２０９をコンセントに差し込み、温度制御装置２０７によって矯正体２２３，２２５を発熱させ、該矯正体２２３，２２５の挟持動作により毛髪を挟みつつ該毛髪に対して滑らせ、矯正体２２３，２２５の発熱による加温作用を加えることにより毛髪を挟持矯正する。【０００６】
ところで、縮毛矯正などでは矯正体２２３，２２５を６０〜１８０℃等の範囲で高温に制御して矯正を行うため、施術中の髪の乾燥が早く、施術後の髪の健康状態が損なわれ、髪に艶のない痛んだ仕上がりになるという問題があった。【０００７】
【特許文献１】特開２００１−１３７０３８号公報
【発明の開示】
【発明が解決しようとする課題】
【０００８】
解決しようとする問題点は、施術中の髪の乾燥が早く、施術後の髪の健康状態が損なわれ、髪に艶のない痛んだ仕上がりになる点である。
【課題を解決するための手段】
【０００９】
本発明は、施術中の髪の乾燥を抑制することを可能とするため、基端側が相互に回転自在に結合され中間部の把持部の把持操作で先端側が挟持動作を行う挟持アームと、前記挟持アームの先端側に対向配置され前記挟持動作で毛髪を熱板により加温しながら矯正面により狭持矯正する矯正体とを備えたヘアーアイロンにおいて、前記矯正体の少なくとも一方の矯正面は、基材の表面に白金層を設けて形成されたことを最も主要な特徴とする。
【発明の効果】
【００１０】
本発明は、基端側が相互に回転自在に結合され中間部の把持部の把持操作で先端側が挟持動作を行う挟持アームと、前記挟持アームの先端側に対向配置され前記挟持動作で毛髪を熱板により加温しながら矯正面により狭持矯正する矯正体とを備えたヘアーアイロンにおいて、前記矯正体の少なくとも一方の矯正面は、基材の表面に白金層を設けて形成された。【００１１】
従って、白金層により施術中の髪に保水機能を働かせ、施術中、加温による髪の乾燥を抑制し、施術後の髪の健康状態を維持することができる。
【図面の簡単な説明】
【００１２】
【図１】図１は、アーアイロンの斜視図である（実施例１）。
【図２】図２は、アーアイロンの分割部分を外した状態の平面図である（実施例１）。
【図３】図３は、アーアイロンの側面図である（実施例１）。
【図４】図４は、アーアイロンの平面図である（実施例１）。
【図５】図５は、挟持アームを開いた状態の底面図である（実施例１）。
【図６】図６は、図３のＳＡ−ＳＡ矢視拡大断面図である（実施例１）。
【図７】アーアイロンの分割部分を外した状態の先端側の要部拡大平面図である（実施例１）。
【図８】（ａ）は矯正体本体の正面図、（ｂ）は同背面図、（ｃ）は同平面図、（ｄ）は同断面図、（ｅ）は、矯正面の要部断面図である（実施例１）。
【図９】（ａ）は第１ばねの平面図、（ｂ）は同背面図である（実施例１）。
【図１０】（ａ）は第２ばねの平面図、（ｂ）は同正面図、（ｃ）は同側面図である（実施例１）。
【図１１】（ａ）はヘアーアイロンの全体構成図、（ｂ）は内部を示す断面図である（従来例）。
【符号の説明】
【００１３】
１  ヘアーアイロン
７，９  挟持アーム
１１，１３  矯正体
１５，１７  基端側
２１，２３  把持部
２９，３１  先端側
６７  熱板
６９  セラミックヒータ（発熱体）
７１  マグネットプレート７１（磁石）
７３  第１ばね（磁石付勢手段）
７５  第２ばね（矯正体付勢手段）
７７  収容部
８７  矯正面
８８  基材
８９  背面
９０  白金層
９２  二酸化チタン層
９４，９６  ニッケル層
【発明を実施するための最良の形態】
【００１４】
施術中の髪の乾燥を抑制することを可能にするという目的を、白金層を設けることにより実現した。
【実施例１】
【００１５】
図１〜図５は本発明の一実施形態に係るヘアーアイロンを示し、図１は一部を省略した全体斜視図、図２は分割部分を外した状態で一部を断面にした平面図、図３は側面図、図４は平面図、図５は挟持アームを開いた状態の底面図である。【００１６】
これら図１〜図５のように、ヘアーアイロン１は、電源コード３が接続されたアイロン本体５を備えている。なお電源コード３には、電源プラグ等が備えられている。【００１７】
前記アイロン本体５は、一対の挟持アーム７，９と、一対の矯正体１１，１３を備えている。前記挟持アーム７，９は、例えば線膨張係数8.8×１０−５ｃｍ／ｃｍ／℃のシーポリエステル系エンジニアリングプラスチック等の樹脂製であり、基端側１５，１７が回転軸１９によって相互に回転自在に結合されている。各挟持アーム７，９の中間部には、把持部２１，２３が設けられている。この把持部２１，２３は把持しやすいように図２，図４，図５のように比較的太く形成され、基端側１５，１７とほぼ同一の太さとなっている。【００１８】
前記把持部２１，２３には、その先端側に傾斜面で形成された力点部２５，２７が設けられている。この力点部２５，２７は、把持部２１，２３を把持したとき親指や人差し指を当てて力を加えるようにするものである。前記力点部２５，２７は、図３の側面から見ると前記把持部２１，２３全体よりも若干肥大して形成され、親指や人差し指を当てやすいようになっている。【００１９】
把持部２１，２３の一方又は双方には、図示はしないが、例えば温度制御装置、温度表示部などが設けられている。温度制御装置は、把持部２１，２３の表面に配置された温度設定釦等を備え、前記電源コード３と後述するセラミックヒータ６９との間に接続され、交流をＡＣ位相制御してセラミックヒータ６９の温度制御を行う。位相制御の結果変化した温度は、サーミスタで検知され、温度補正が行われるようになっている。サーミスタ検知に基づく実際の温度は、温度表示部にてＬＥＤ表示される。【００２０】
前記挟持アーム７，９の先端側２９，３１は、図２，図４，図５のように、把持部２１，２３よりも相互の合わせ方向へ細く形成されている。また前記先端側２９，３１は、図３のように把持部２１，２３よりも細く形成され、把持部２１，２３に対し一側へ位置ずれして設定されている。従って、先端側２９，３１の一面３３は、把持部２１，２３の一面３５よりも一側へ突出し、両面３３，３５は傾斜面３７で段差的に連続設定されている。前記先端側２９，３１の他面３９は、前記一面３３に合わせて一側へずれて形成され、前記把持部２１，２３の中央側へ入り込んでいる。【００２１】
かかる挟持アーム７は、中空状に形成されており、図３のように分割線４１によりそれぞれ分割部分４３ａ，４５ａ、分割部分４３ｂ，４５ｂの合わせ構造となっている。これら分割部分４３ａ，４５ａ、分割部分４３ｂ，４５ｂは、先端側２９，３１、把持部２１，２３、基端側１５，１７において締結具である例えばビス４８，４９，５１によって相互に締結結合されている。前記分割部分４３ａ，４３ｂには、先端側２９，３１において締結用の孔４７が貫通形成されている。【００２２】
前記中空の把持部２１，２３内には、複数の補強リブ５３が設けられている。前記一方の挟持アーム７には、両アーム７，９の対向側に凸部５５が設けられ、他方の挟持アーム９には前記凸部５５が嵌合する凹部５７が設けられている。前記凸部５５は、前記凹部５７の底面に突き当たってストッパの機能を奏するようになっている。【００２３】
こうして、前記挟持アーム７は、基端側１５，１７が相互に回転自在に結合され、中間部の把持部２１，２３の操作で先端側２９，３１が挟持動作を行う構成となっている。【００２４】
前記挟持アーム７，９の先端側２９，３１の断面は、図３のＳＡ−ＳＡ矢視の拡大断面で示す図６のようになっている。また図７は、先端側２９，３１において分割部分４３ａ，４３ｂを取り外し、矯正体１１，１３を断面にして示した要部拡大平面図である。なお、以下の説明では挟持アーム７，９の先端側２９，３１が対称形状となっているため先端側２９を主に説明し、他方の先端側３１は先端側２９の説明を参照する。【００２５】
前記先端側２９は、図６，図７のように内部に芯材８３を収容する平坦な縦壁面５９，６１及び平坦な底壁面６３を備えている。なお、先端側３１には対称形状の芯材８５が収容されるように、前記平坦な縦壁面５９，６１及び平坦な底壁面６３と同様な面が形成されている。また先端側２９には、前記矯正体１１を他方側に対し進退自在となるように可動支持する矯正体支持穴６５が設けられている。この矯正体支持穴６５に、前記矯正体１１が可動支持されている。【００２６】
従って、前記矯正体１１，１３は、前記挟持アーム７，９の先端側２９，３１に対向配置され、前記挟持アーム７，９の挟持動作で毛髪を加温しながら挟持矯正する構成となっている。【００２７】
前記矯正体１１は、熱板６７と、セラミックヒータ６９と、マグネットプレート７１と、第１ばね７３とを備え、第２ばね７５で付勢されている。【００２８】
前記熱板６７は、軽量で熱伝導率の高いアルミ等の材料により対向側から見て矩形板状に形成されている。前記熱板６７の背後には、収容部７７が一体に設けられ、前記矯正体支持穴６５に対し可動支持され、他方側である矯正体１３に対し進退自在となっている。このような進退自在な支持は、矯正体１３においても同様である。【００２９】
前記収容部７７の上下壁には、係合片部７９，８１が設けられ、前記熱板６７の一定以上の突出移動を規制するようになっている。前記セラミックヒータ６９、マグネットプレート７１、第１ばね７３は、前記収容部７７内に収容されている。従って、前記矯正体１１，１３は、前記熱板６７の背後に収容部７７を備え、前記収容部７７内に、前記磁石としてのマグネットプレート７１及び該マグネットプレート７１を収容部７７に対して前記熱板６７側へ付勢する磁石付勢手段として第１ばね７３を設けた構成となっている。また、前記熱板６７の背後側に、矯正面に沿って磁石としてのマグネットプレート７１を配置した構成となっている。さらに、前記収容部７７内で前記熱板６７の背面と前記マグネットプレート７１との間に、前記背面から熱板６７へ熱伝導を行う発熱体としてのセラミックヒータ６９を設けた構成となっている。【００３０】
前記セラミックヒータ６９は、矩形板状を呈し、最高温度約１８０°まで発熱し、前記熱板６７に熱伝導を行うもので、前記電源コード３側に電気的に接続されている。【００３１】
前記マグネットプレート７１は、１５０００ガウスのネオジウム磁石等により矩形板状に形成され、両矯正体１１，１３相互でＳ極が対峙するように配置されている。但し、マグネットプレート７１は、Ｎ極が対峙するように配置することもできる。また、マグネットプレート７１は永久磁石の他、電磁石或いは永久磁石と電磁石との組み合わせなどを用いることができる。さらに、マグネットプレート７１は、１００００ガウス以上であれば好ましいものである。【００３２】
このマグネットプレート７１の磁気作用により、イオン、低周波・活水効果を得ることができる。イオン効果では、磁気作用によりマイナスイオンを発生させることができる。低周波・活水効果では、マグネットプレート７１の周りの電磁波、電気磁場の低い振動により髪の中の水分を周期的に揺さぶり、エネルギを与えて活水させることができる。また、磁気作用により周囲の水分のクラスタを小さくして、髪に浸透し易くすることができる。【００３３】
前記第１ばね７３は、板ばねで形成され、前記マグネットプレート７１を収容部７７内で熱板６７背面方向に付勢しセラミックヒータ６９を熱板６７の背面に密着させると共に、マグネットプレート７１を安定支持している。第１ばね７３のばね定数は、前記マグネットプレート７１がＳ極を対峙させて配置されたとき、マグネットプレート７１相互の磁性による反力で撓まない程度のものである。【００３４】
前記第２ばね７５は、前記収容部７７の後端に支持され、この第２ばね７５は、前記矯正体１１，１３を付勢して矯正体１１，１３相互による挟持状態を弾性的に調節する矯正体付勢手段を構成している。前記第２ばね７５は、板ばねで形成され、両端部７５ａ，７５ｂが傾斜設定され、端縁が前記分割部分４３ａ側の突起部に図７左右方向（長手方向）で係合している。【００３５】
前記矯正体１１，１３、第１，第２ばね７３，７５の具体的構成は、図８〜図１０のようになっている。図８（ａ）は矯正体本体の正面図、図８（ｂ）は同背面図、図８（ｃ）は同平面図、図８（ｄ）は同断面図、図８（ｅ）は、矯正面の要部断面図、図９（ａ）は第１ばねの平面図、図９（ｂ）は同背面図、図１０（ａ）は第２ばねの平面図、図１０（ｂ）は同正面図、図１０（ｃ）は同側面図である。【００３６】
前記図８（ａ）〜（ｄ）のように、前記矯正体１１，１３の熱板６７には、前面に相互に対向する平坦な矯正面８７が設けられている。【００３７】
矯正体１１，１３の矯正面８７は、アルミ（Ａｌ）の基材８８の表面に白金（Ｐｔ）層９０を設けて形成されている。また、基材８８の表面と白金層９０との間に、二酸化チタン（ＴｉＯ２）層９２が形成され、基材８８の表面と二酸化チタン層９２との間及び二酸化チタン層９２と白金層９０との間に、ニッケル（Ｎｉ）層９４，９６が形成されている。【００３８】
前記白金層９０は、保水機能及び触媒機能を有する。保水機能により、空気中の水分を集めて髪に保水させることができる。触媒機能により、有害物質や有機化合物を原子状にすることができる。【００３９】
前記二酸化チタン層９２は、光触媒機能を有する。この光触媒機能により、白金層９０で原子状にした有害物質を無害な水や二酸化炭素にすることができる。また、有害な物質にイオン効果によりマイナスイオンを与えて中和することができる。【００４０】
前記ニッケル層９４は、白金層９０のメッキの際にアルミの基材８８の酸化を防止するためのものである。ニッケル層９６は、チタン層９２に白金層９０を定着させるためのものである。【００４１】
本実施例において、白金層９０は、電解メッキにより０．０１μｍの厚さで形成されている。なお、白金層９０は、無電解メッキにより形成することもできる。二酸化チタン層９２は、蒸着により５〜１５μｍの厚さで形成されている。二酸化チタン層９２は、蒸着したチタン（Ｔｉ）が時間の経過により二酸化チタン（ＴｉＯ２）となったものである。従って、製品として流通するときは、蒸着したチタン（Ｔｉ）層が、二酸化チタン層９２となっている。ニッケル層９４，９６は、コーティングにより０．５μｍの厚さに形成されている。【００４２】
なお、白金層９０、二酸化チタン（ＴｉＯ２）層９２、ニッケル（Ｎｉ）層９４，９６の厚みは、それぞれの機能を維持できれば、任意に変更することができる。【００４３】
これら、白金層９０、二酸化チタン（ＴｉＯ２）層９２の機能と、前記マグネットプレート７１の磁気作用とにより、酸化、還元を有効に実現し、髪に潤いを残したままパーマネント加工等を可能とした。【００４４】
前記収容部７７は、前記熱板６７の平坦な背面８９に沿って中空に形成されている。収容部７７の両端部は前記矯正体１１，１３の両端部に解放されている。従って、収容部７７の端部から、第１ばね７３、セラミックヒータ６９、及びマグネットプレート７１を挿入できるようになっている。収容部７７の後壁９１には、開口部９３が設けられている。前記後壁９１の上下縁には前記第２ばね５をスライド支持するための溝部９５が設けられている。【００４５】
図９のように、前記第１ばね７３は、板ばね材で形成されている。第１ばね７３の中央には、湾曲部９７が設けられている。この第１ばね７３の一端には、屈曲部９９が設けられ、他端には鍵部１０１が設けられている。この屈曲部９９と鍵部１０１とにより前記マグネットプレート７１を支持している。【００４６】
図１０のように、前記第２ばね７５は、板ばね材で形成されている。第２ばね７５の両端部７５ａ，７５ｂは、平坦な中央部１０３の両側に形成されている。中央部１０３の幅方向両側には、係合部１０５が形成されている。前記両端部７５ａ，７５ｂの端縁には、前記分割部分４３ａ側の突起部に前述のように係合するための係合部１０７が設けられている。【００４７】
組み付けに際しては、図９のようにマグネットプレート７１を屈曲部９９と鍵部１０１とにより前記第１ばね７３に予め支持させる。次に、マグネットプレート７１に対しセラミックヒータ６９を合わせ、これら第１ばね７３、マグネットプレート７１、及びセラミックヒータ６９をアッセンブリとして前記収容部７７に収容させる。このとき、前記アッセンブリを収容部７７の端部開口から容易に差し込み収容することができる。【００４８】
前記アッセンブリを収容部７７に収容させた後は、第１ばね７３の湾曲部９７が撓んで反力を発生し、セラミックヒータ６９を熱板６７の背面８９に密着させるため、第１ばね７３、マグネットプレート７１、セラミックヒータ６９のアッセンブリを、収容部７７内に固定支持させることができ、組み付け時の取扱が容易となる。【００４９】
次に、前記矯正体１１，１３の後壁９１の溝部９５に、前記第２ばね７５の係合部１０５を係合させ、第２ばね７５の中央部１０３を矯正体１１，１３の後壁９１に取り付ける。この取り付けは、後壁９１の端部から差し込んで行うが、後壁９１の中央部において、第２ばね７５を中央部１０３に対向させ、こじり気味に嵌め込むこともできる。第２ばね７５が後壁９１に取り付けられると、中央部１０３が前記マグネットプレート７１の磁力により引かれ、第２ばね７５の後壁９１に対する位置決めを行うことができる。従って、第２ばね７５を後壁９１に対し自由に移動させ、移動位置で前記磁力により位置決めることができ、第２ばね７５の位置決めを極めて容易に行うことができる。【００５０】
次に、前記矯正体１１，１３、第２ばね７５のアッセブリを前記分割部分４５ａ、４５ｂの矯正体支持穴６５部分に支持させ、他の分割部分４３ａ，４３ｂを合わせ、所定箇所を締結して組み付けが完了する。【００５１】
次に、前記ヘアーアイロン１を用いて癖毛を伸ばしたり人工的なパーマネントウェーブを直す場合について説明する。【００５２】
まず、前記ヘアーアイロン１の使用時には、まず毛髪に第一液、すなわちチオグリコール酸やシステイン等のメルカプト化合物（還元剤）を主剤とする水溶液にアンモニア、モノエタノールアミン、トリエタノールアミン等の塩基性物質を加えてｐＨ６〜１０に調整した液剤を塗布する。この塗布により、毛髪中のケラチン蛋白質に含まれているシスチンのジスルフィド結合が還元されてメルカプト基として切断され、その後、毛髪を水洗し、順次ドライヤ等で乾燥させた後、１６０〜１８０℃の範囲で温度調整されたヘアーアイロン１によりこの髪を直毛に整える。【００５３】
具体的には、挟持アーム７，９の把持部２１，２３を把持し、力点部２５，２７に親指と人差し指を当てるなどして力を加え、矯正体１１，１３の熱板６７間で毛髪を挟み込む。その後、その状態を維持して挟持アーム７，９を毛先へと滑らせる。これにより、セラミックヒータ６９により熱せられた熱板６７間で挟まれた毛髪が加熱されながら伸ばされる。【００５４】
このとき、矯正体１１，１３の白金層９０は、空気中の水分を集めて髪に保水させ、この保水により熱板６７での施術中の髪の乾燥を防ぐことができる。このとき、前記マグネットプレート７１の磁気作用により周囲の水分のクラスタを小さくして、髪に浸透し易くすることができる。すなわち、白金層９０で集めた空気中の水分のクラスタを小さくして、髪に浸透し易くし、髪の保水性を高めることができる。【００５５】
また、白金層９０の触媒機能によって、有害物質や有機化合物を原子状にし、前記二酸化チタン層９２の光触媒機能により、白金層９０で原子状にした物質を無害な水や二酸化炭素にすることができる。さらに、二酸化チタン層９２の光触媒機能により、有害な物質にマイナスイオンを与えて中和することができる。【００５６】
同時に、前記マグネットプレート７１の磁気作用により、マイナスイオンを発生させることができる。且つ、マグネットプレート７１の周りの電磁波、電気磁場の低い振動により髪の中の水分を周期的に揺さぶり、エネルギを与えて活水させることができる。【００５７】
このように、白金層９０による髪の保水効果により、熱板６７で確実に縮毛矯正しながら髪の艶を確実に保持させることができる。【００５８】
白金層９０と二酸化チタン層９２との相乗効果（触媒作用）を利用することで
髪の健康を促進しながら整髪の実現が可能となる。【００５９】
白金層９０と二酸化チタン層９２との相乗作用により有害物質を分解して無害化し、整髪時の周囲環境を著しく改善することができる。【００６０】
白金層９０と二酸化チタン層９２とマグネットプレート７１との相乗作用により、整髪時の髪への熱や圧力破壊など悪影響を最小限に押さえ、さらに有害物質や有機化合物などを原子化して分解除去し、最良の整髪状態を得ることができる。【００６１】
髪をパーマ液の１液処理の後にヘアーアイロン１を用いるとき、白金層９０の分子分解機能によって、有害物質や有機化合物を原子状にし、且つ前記二酸化チタン層９２の酸化還元作用から発生する触媒効果とイオン効果とにより、薬液の消臭と有害物質の分解とを可能とする。【００６２】
このため、通常は、パーマ処理の２液処理後、髪にアンモニア臭等が残存するが、上記白金層９０及び二酸化チタン層９２の作用により、パーマ処理後に残存するアンモニア臭等を消すことができ、整髪者の環境をより最良の状態とすることができる。【００６３】
加えて、前記毛髪はＳ極又は、Ｎ極を対峙させたマグネットプレート７１間を所定の速度で移動するため、フレミングの右手の法則により還元エネルギが発生する。このエネルギは磁極の電子が右回転するマグネットプレート７１のＳ極から発生し、第一液の還元作用を促進させることになる。しかも、毛髪の表層部を形成するキューティクルを閉じる働きもする。キューティクルが閉じると、紫外線が毛髪の内部に入り込もうとするのを遮断し、毛髪が紫外線により損傷するのを防ぐことができる。【００６４】
またこの還元のエネルギにより、第一液の水のクラスタが小さくなる。このクラスタが小さくなることで、第一液の毛髪への浸透性が高まる。よって、さらに第一液の還元作用が促進される。その結果、毛髪が損傷する恐れを伴う施術時間を短くすることができ、毛髪の傷みも抑制することができる。【００６５】
なお、その後頭髪に臭素酸ナトリウム、過酸化水素等の酸化剤の水溶液からなる第二液を塗布し、この結果、メルカプト基を酸化して毛髪に新たなジスルフィド結合を生成させ、この直毛状態を固定化することができる。【００６６】
このような施術に際して、マグネットプレート７１がＳ極を対峙させて設定されているときは、前記狭持アーム７，９の狭持動作により両矯正体１１，１３が近づくと、マグネットプレート７１が反発し合い、同時に第２ばね７５が反発に応じて撓むことによりマグネップレート７１は互いに平行となる。これにより、矯正体１１，１３も姿勢が修正され、矯正面８７が自動的に平行となる。従って、狭持動作のさらなる進行により矯正体１１，１３の矯正面７８が密接するときには、密接当初から平行状態で接触することができる。【００６７】
前記マグネットプレート７１がＳＮ極を対峙させて設定されているときは、マグネットプレート７１が吸引し合い、同時に第２ばね７５が吸引に応じて撓むことによりマグネップレート７１は互いに平行となる。従って、上記同様に矯正体１１，１３の矯正面７８が密接するときには、密接当初から平行状態で接触することができる。【００６８】
このように、前記狭持動作により両矯正体１１，１３が近づき、或いは接触し始めると前記マグネットプレート７１及び第２ばね７５の協働により両矯正体１１，１３間の相互姿勢が互いに平行状態となるように自動的に修正される。【００６９】
従って、両矯正体１１，１３により毛髪を狭持するときは両矯正体１１，１３の接触開始から平行状態とし、局部的に接触することによるアイロン掛けの斑を的確に抑制することができる。【００７０】
前記マグネットプレート７１がＳＮ極を対峙させて設定されているとき、狭持動作により、矯正体１１，１３相互が急激的に密着するが、このとき第２ばね７５により緩衝を行うことができ、施術を的確に行わせることができる。【００７１】
前記マグネットプレート７１を第１ばね７１により熱板６７側へ付勢することにより矯正体１１，１３に対して安定して支持させることができる。このため、マグネットプレート７１と第１ばね７１との協働による両矯正体１１，１３間の相互姿勢の修正をより確実に行わせることができる。【００７２】
さらに、前記収容部７７内で前記熱板６７の背面８９と前記マグネットプレート７１との間に、前記背面８９から熱板６７へ熱伝導を行う発熱体としてセラミックヒータ６９を設けたため、前記第１ばね７１の付勢力を利用してセラミックヒータ６９を熱板６７の背面８９へ密着させることができ、セラミックヒータ６９から熱板６７へ効率よく熱伝導させることができる。【００７３】
なお、本発明は上記実施例に限定されるものではない。【００７４】
例えば、アイロン本体５の具体的形状は任意であり、温度調節装置や温度表示部を設ける位置も自由である。【００７５】
マグネットプレート７１は、矯正体１１，１３の何れか一方にのみ設け、他方はマグネットプレート７１に吸引される磁性体パネルで構成することもできる。第１ばね７３は省略することも可能である。【００７６】
矯正体１１，１３の矯正面８７の一方にのみ白金層９０、二酸化チタン（ＴｉＯ２）層９２、ニッケル（Ｎｉ）層９４，９６を形成させることもできる。【００７７】
二酸化チタン（ＴｉＯ２）層９２、ニッケル（Ｎｉ）層９４，９６は何れか又は双方を任意に省略することも可能である。
【図１】
2009001439.tif 000003
【図２】
2009001439.tif 000004
【図３】
2009001439.tif 000005
【図４】
2009001439.tif 000006
【図５】
2009001439.tif 000007
【図６】
2009001439.tif 000008
【図７】
2009001439.tif 000009
【図８】
2009001439.tif 000010
【図９】
2009001439.tif 000011
【図１０】
2009001439.tif 000012
【図１１】
2009001439.tif 000013
【国際調査報告】
2009001439.tif 000014
2009001439.tif 000015